(57)【要約】【課題】ユーザ所望のデザインを用いて地紋画像を複数の色で生成すること。【解決手段】配色設定部は、ユーザの選択に応じてデザイン画像のパーツ画像の色を設定する。デザイン画像の配色が完了したら、地紋画像生成部は地紋画像と配色されたデザイン画像を重ね合わせ、地紋画像の色を対応するデザイン画像の位置の色に設定する。【選択図】図１０
2010178008.tif 000002
【特許請求の範囲】
【請求項１】
複写時に顕在化する潜像画像を背景画像に埋め込んで地紋画像を生成する地紋画像生成手段と、
デザイン画像を記憶するデザイン画像記憶手段と、
前記デザイン画像記憶手段に記憶されているデザイン画像の中からユーザ所望のデザイン画像の選択入力を受け付ける画像受付手段と、
前記画像受付手段が受け付けた選択入力に基づいて、前記デザイン画像記憶手段から前記デザイン画像を読み出す画像読出手段と、
前記読み出されたデザイン画像について、当該デザイン画像を構成する各パーツ画像の何れかの選択を受け付けるパーツ画像受付手段と、
予め定められた複数の色から、ユーザ所望の色の選択入力を受け付ける色受付手段と、
前記パーツ画像受付手段によって選択が受け付けられたパーツ画像の色を前記色受付手段が受け付けた色に設定する色設定手段と、
前記生成された地紋画像の色を前記色設定されたデザイン画像の色に設定することで、当該色設定されたデザイン画像を当該地紋画像に重ね合わせるカラー地紋画像生成手段と、
を備えた画像処理装置。
【請求項２】
前記パーツ画像受付手段が受け付けたデザイン画像を表示手段に表示させる表示制御手段を更に備え、
前記パーツ画像受付手段は、前記表示手段に表示されたデザイン画像のパーツ画像の何れかの選択を受け付けるものであり、
前記表示制御手段は、前記色受付手段が受け付けた選択入力に基づいて、前記表示されたデザイン画像を構成するパーツ画像の色を切り替えて表示させ、更に前記カラー地紋画像生成手段によって色設定のなされた地紋画像を表示させるものである請求項１に記載の画像処理装置。
【請求項３】
前記色設定手段によって色設定のなされたデザイン画像を前記デザイン画像記憶手段に記憶させるか否かの指示入力を受け付ける指示受付手段を更に備え、
前記デザイン画像を記憶させる指示を前記指示受付手段が受け付けたとき、前記デザイン画像記憶手段は前記色設定のなされたデザイン画像を蓄積して記憶するものである請求項１又は２に記載の画像処理装置。
【請求項４】
コンピュータを、
複写時に顕在化する潜像画像を背景画像に埋め込んで地紋画像を生成する地紋画像生成手段、
記憶手段に記憶されているデザイン画像の中からユーザ所望のデザイン画像の選択入力を受け付ける画像受付手段、
前記画像受付手段が受け付けた選択入力に基づいて、前記デザイン画像記憶手段から前記デザイン画像を読み出す画像読出手段、
前記読み出されたデザイン画像について、当該デザイン画像を構成する各パーツ画像の何れかの選択を受け付けるパーツ画像受付手段、
予め定められた複数の色から、ユーザ所望の色の選択入力を受け付ける色受付手段、
前記パーツ画像受付手段によって選択が受け付けられたパーツ画像の色を前記色受付手段が受け付けた色に設定する色設定手段、
前記生成された地紋画像の色を前記色設定されたデザイン画像の色に設定することで、当該色設定されたデザイン画像を当該地紋画像に重ね合わせるカラー地紋画像生成手段、
として機能させるプログラム。
【発明の詳細な説明】
【技術分野】
【０００１】
本発明は、背景画像に複写時に顕在化する潜像画像を埋め込んだ地紋画像を生成する画像処理装置及びプログラムに関するものである。
【背景技術】
【０００２】
機密書類等の複写を抑止する方法として、コピー機でその機密文書の複写を行うと警告文字が浮かび上がる地紋画像を用いる方法が知られている。このような地紋画像が印刷された機密文書をコピー機で複写すると、複写物に「禁複写」等の警告文字が浮き出て印刷されるため、不正複写に対する心理的な抑止効果があると共に、原本と複写物を区別することが可能となる。
【０００３】
図１３は地紋画像を施した印刷物の一例を示した図であり、図１３（ａ）は原本、図１３（ｂ）は原本の複写物を示している。図１３（ａ）において９１１を潜像画像、９１２を背景画像という。原本における潜像画像及び背景画像は、肉眼による見かけの濃度はほぼ同じになるように印刷される。また図１３（ａ）の図中に示す領域Ｐを拡大した図が図１４である。図１４に示すように、背景画像９１２は大きなドットを比較的疎に配置して構成され、潜像画像９１１は小さなドットを比較的密に配置して構成される。
【０００４】
図１３（ａ）に示す原本をコピー機で複写すると、背景画像９１２を構成するドットはコピー機で解像できる大きさと濃度を持っているために、忠実に印刷される。しかし潜像画像９１１を構成するドットは、コピー機で解像できない大きさであるために印刷されない。従って、複写物には原本に印刷されていた文書と共に背景画像９１２に相当する画像が印刷され、潜像画像９１１に相当する部分は白抜き文字として浮き出て表現されることとなる。これにより不正複写を抑制することができると同時に、原本と複写物との区別をすることができる。
【０００５】
このような地紋画像を用いた機密文書については、以前は偽造防止用紙と呼ばれる予め地紋画像の印刷が施された用紙を用いて作成していた。しかし、偽造防止用紙に予め印刷されている潜像画像しか複写によって浮かび上がらせることができないためにその用紙の用途が限られる点や、偽造防止用紙の値段が汎用の印刷用紙に比べて高い点など、不便な点が多かった。
【０００６】
一方、文書の作成・印刷の段階においてデジタル化が急速に進み、プリンタの性能も飛躍的に向上する中、従来用いていた偽造防止用紙と同様の印刷を汎用のコンピュータとプリンタを用いて行うことが可能となった。これにより、警告文字として任意のテキスト文字を採用したり、好みの背景画像を採用したりすることが可能となるなど、ユーザの自由度を高めることができた。更に、カラープリンタの普及により、カラーの地紋画像を用いることが可能となってきた。特許文献１には、入力された画像データのヒストグラムを色別に作成し、このヒストグラムに基づいてカラーの地紋画像を生成する画像処理装置について記載されている。
【先行技術文献】
【特許文献】
【０００７】
【特許文献１】特開２００７−１２９４２７号公報
【発明の概要】
【発明が解決しようとする課題】
【０００８】
しかしながら、一般的に、カラーの地紋画像はカラー１色のみで構成されたり、特許文献１に記載された方法のように入力された画像データの色別のヒストグラムに応じて作成されたりするなど、地紋画像の色を決定する段階において、ユーザの自由度が高いとは言えなかった。
【０００９】
本発明は、上記の問題を解決するためになされたもので、ユーザ所望のデザインを用いて複数の色で構成された地紋画像を生成できる画像処理装置及びプログラムを提供することを目的とするものである。
【課題を解決するための手段】
【００１０】
請求項１に記載の発明の画像処理装置は、複写時に顕在化する潜像画像を背景画像に埋め込んで地紋画像を生成する地紋画像生成手段と、デザイン画像を記憶するデザイン画像記憶手段と、前記デザイン画像記憶手段に記憶されているデザイン画像の中からユーザ所望のデザイン画像の選択入力を受け付ける画像受付手段と、前記画像受付手段が受け付けた選択入力に基づいて、前記デザイン画像記憶手段から前記デザイン画像を読み出す画像読出手段と、前記読み出されたデザイン画像について、当該デザイン画像を構成する各パーツ画像の何れかの選択を受け付けるパーツ画像受付手段と、予め定められた複数の色から、ユーザ所望の色の選択入力を受け付ける色受付手段と、前記パーツ画像受付手段によって選択が受け付けられたパーツ画像の色を前記色受付手段が受け付けた色に設定する色設定手段と、前記生成された地紋画像の色を前記色設定されたデザイン画像の色に設定することで、当該色設定されたデザイン画像を当該地紋画像に重ね合わせるカラー地紋画像生成手段と、を備えるものである。
【００１１】
請求項４に記載の発明のプログラムは、コンピュータを、複写時に顕在化する潜像画像を背景画像に埋め込んで地紋画像を生成する地紋画像生成手段、記憶手段に記憶されているデザイン画像の中からユーザ所望のデザイン画像の選択入力を受け付ける画像受付手段、前記画像受付手段が受け付けた選択入力に基づいて、前記デザイン画像記憶手段から前記デザイン画像を読み出す画像読出手段、前記読み出されたデザイン画像について、当該デザイン画像を構成する各パーツ画像の何れかの選択を受け付けるパーツ画像受付手段、予め定められた複数の色から、ユーザ所望の色の選択入力を受け付ける色受付手段、前記パーツ画像受付手段によって選択が受け付けられたパーツ画像の色を前記色受付手段が受け付けた色に設定する色設定手段、前記生成された地紋画像の色を前記色設定されたデザイン画像の色に設定することで、当該色設定されたデザイン画像を当該地紋画像に重ね合わせるカラー地紋画像生成手段、として機能させるものである。
【００１２】
これらの構成によれば、ユーザ所望のデザイン画像や色を用いて地紋画像を作成することができるため、用途やユーザの好みに合わせた地紋画像を作成することができ、利便性を向上させることができる。
【００１３】
請求項２に記載の発明は、請求項１に記載の画像処理装置であって、前記パーツ画像受付手段が受け付けたデザイン画像を表示手段に表示させる表示制御手段を更に備え、前記パーツ画像受付手段は、前記表示手段に表示されたデザイン画像のパーツ画像の何れかの選択を受け付けるものであり、前記表示制御手段は、前記色受付手段が受け付けた選択入力に基づいて、前記表示されたデザイン画像を構成するパーツ画像の色を切り替えて表示させ、更に前記カラー地紋画像生成手段によって色設定のなされた地紋画像を表示させるものである。
【００１４】
この構成によれば、ユーザによって色設定のなされたデザイン画像や、デザイン画像と地紋画像を重ね合わせることによって生成されたカラーの地紋画像が表示手段に表示されるため、ユーザは地紋画像の配色状態を確認しながら作業を行うことができる。
【００１５】
請求項３に記載の発明は、請求項１又は２に記載の画像処理装置であって、前記色設定手段によって色設定のなされたデザイン画像を前記デザイン画像記憶手段に記憶させるか否かの指示入力を受け付ける指示受付手段を更に備え、前記デザイン画像を記憶させる指示を前記指示受付手段が受け付けたとき、前記デザイン画像記憶手段は前記色設定のなされたデザイン画像を蓄積して記憶するものである。
【００１６】
この構成によれば、デザイン画像の色設定を行った後、そのデザイン画像を記憶させることによって、後日同じデザイン画像をデザイン画像記憶手段から即座に読み出すことができる。つまり、再びデザイン画像の色設定をする必要がないため、手間を省くことができる。
【発明の効果】
【００１７】
この発明によれば、ユーザ所望のデザイン画像や色を用いて地紋画像を作成することができるため、用途やユーザの好みに合わせた地紋画像を作成することができ、利便性を向上させることができる。
【図面の簡単な説明】
【００１８】
【図１】画像処理装置の構成を示したブロック図。
【図２】デザイン画像記憶部のデータ構成を示した図。
【図３】地紋画像設定画面の一例を示した図。
【図４】地紋画像設定画面の一例を示した図。
【図５】配色設定画面の一例を示した図。
【図６】配色設定画面の一例を示した図。
【図７】配色設定画面の一例を示した図。
【図８】カラーの地紋画像の生成方法を説明するための図。
【図９】地紋画像設定画面の一例を示した図。
【図１０】カラーの地紋画像が印刷された印刷物を示した図。
【図１１】地紋画像生成処理の流れを示したフローチャート。
【図１２】配色設定処理の流れを示したフローチャート。
【図１３】従来の地紋画像を説明するための図。
【図１４】従来の地紋画像を説明するための図。
【発明を実施するための形態】
【００１９】
以下、図面に基づいて本発明の実施形態を説明する。図１は画像処理装置１の構成を示すブロック図である。画像処理装置１はコンピュータ（例えば、パーソナルコンピュータ）により実現され、制御部１１、記憶部１２、入力操作部１３、表示部１４及びネットワークＩ／Ｆ部１５を備えて構成される。
【００２０】
制御部１１は、ＣＰＵ（Central Processing Unit）やその他周辺装置を備え、入力される指示信号に応じて所定のプログラムに基づいた処理を実行し、各機能部への指示やデータ転送を行う等、画像処理装置１全体を制御する。具体的には、制御部１１は、入力操作部１３から入力される操作信号に応じて記憶部１２に記憶されたプログラムを読み出し、そのプログラムに従って処理を実行する。そして制御部１１は、処理結果を表示するための表示制御信号を表示部１４に対して出力し、処理結果に応じた情報を表示させる。
【００２１】
更に、制御部１１は、地紋画像生成部１１１、配色設定部１１２、印刷データ生成部１１３及び表示制御部１１４として機能する。地紋画像生成部１１１は、背景画像に潜像画像であるテキストを埋め込んで地紋画像を生成する。配色設定部１１２は、ユーザが選択したデザイン画像の色設定をユーザの指示に従って行う。デザイン画像については後ほど詳しく説明する。
【００２２】
印刷データ生成部１１３は、地紋画像生成部１１１によって生成された地紋画像と、文書作成ソフト等のアプリケーションソフト（不図示）を用いてユーザによって作成された文書データを重ね合わせ、プリンタ９１に印刷ジョブデータとして送信するための印刷データを生成する。表示制御部１１４は、表示部１４に文字や画像を示す表示制御信号を出力して、表示部１４の表示制御を行う。
【００２３】
記憶部１２は、画像処理装置１の備える種々の機能を実現するためのプログラムやデータ等を記憶する。本実施の形態では、地紋画像生成プログラム１２１及び配色設定プログラム１２２を記憶し、更にデザイン画像記憶部１２３として機能する。地紋画像生成プログラム１２１は、潜像画像を背景画像に埋め込んで地紋画像を生成し、文書データ等と重ね合わせて印刷データを生成するためのプログラムである。配色設定プログラム１２２は、ユーザの指示に従ってデザイン画像の色設定を行うプログラムである。
【００２４】
デザイン画像記憶部１２３は、予め作成されたデザイン画像を複数記憶するものである。図２は、デザイン画像記憶部１２３のデータ構成の一例を示す図である。デザイン画像記憶部１２３は、デザイン画像（イメージデータ）と、その名称（又はファイル名）を対応付けて記憶する。デザイン画像とは、地紋画像にユーザ所望の色を着色するために用いる画像であり、ユーザがデザイン画像の色を設定した後、地紋画像生成部１１１が色設定されたデザイン画像と地紋画像を重ね合わせ、地紋画像の色を対応するデザイン画像の位置の色に設定することにより、カラーの地紋画像を生成する。デザイン画像を用いたカラー地紋画像の生成方法の詳細については、後ほど説明する。尚、デザイン画像記憶部１２３に記憶されるデザイン画像は、ユーザが画像生成ソフトを用いて作成した任意のデザイン画像であってもよい。
【００２５】
入力操作部１３は、文字／英数字入力キー、カーソルキー及び各種機能キー等を備えたキーボードや、タッチパッドやマウス等のポインティングデバイスを備えて構成されており、キーボードで押下されたキーの操作信号や、ポインティングデバイスの操作信号を制御部１１へ出力する。表示部１４は、ＣＲＴ（Cathode Ray Tube）やＬＣＤ（Liquid Crystal Display）等の表示画面を備え、制御部１１の表示制御部１１４から出力される表示制御信号に従って文字や画像等の表示を行う。
【００２６】
ネットワークＩ／Ｆ部１５は、ＬＡＮボード等の通信モジュールから構成され、ネットワークＩ／Ｆ部１５と接続されたネットワーク９２を介して種々のデータを送受信する。具体的には、制御部１１が記憶部１２に記憶された地紋画像生成プログラム１２１を読み出して実行し、ユーザが入力操作部１３を介して各種設定を入力することにより、地紋画像生成部１１１が地紋画像を生成する。印刷データ生成部１１３は、生成された地紋画像と文書データを重ね合わせて印刷データを生成し、この印刷データをネットワークＩ／Ｆ部１５へ出力する。ネットワークＩ／Ｆ部１５はネットワーク９２を介してプリンタ９１へ出力する。プリンタ９１は送信された印刷データに基づいて印刷を行う。
【００２７】
図３〜１０は、制御部１１が地紋画像生成プログラム１２１及び配色設定プログラム１２２に従って処理を実行したときに表示部１４に表示される画面例と、図１１及び１２は地紋画像生成処理及び配色設定処理の流れを示すフローチャートである。図３〜１２を用いて本実施の形態における地紋画像生成処理及び配色設定処理について詳しく説明する。
【００２８】
文書データを印刷するとき、ユーザは入力操作部１３を用いて所定の操作を行って、プリンタドライバ（不図示）を起動させる。プリンタドライバが起動すると、表示制御部１１４は印刷設定画面（不図示）を表示部１４に表示させる。印刷設定画面では、印刷に関する詳細設定を行うことができ、ここでユーザが地紋画像設定（又はセキュリティ設定等）のコマンドを選択すると、表示制御部１１４は、図３に示すような地紋画像設定画面２００を表示部１４に表示させる（図１１のステップＳ１１）。
【００２９】
ユーザは、キーボードやポインティングデバイスを用いて、地紋画像設定画面２００内のプルダウンリストや入力欄に背景画像や潜像画像として埋め込むテキストを選択入力する（ステップＳ１２）。テキストに関しては、ユーザがポインティングデバイスでプルダウンリスト２０４の下三角マークを選択すると、予め設定された複数のテキストがリスト状に表示される。ユーザはその表示されたテキストの中から所望のテキストを選択する。また、ユーザはキーボード等を用いてプルダウンリスト２０４に所望のテキストを直接入力してもよい。背景画像に関しては、ユーザがプルダウンリスト２０５の下三角マークを選択すると、予め記憶されている複数の背景画像の名称（又はファイル名）がリスト状に表示される。ユーザはその表示された名称の中から所望の背景画像を選択する。
【００３０】
背景画像とテキストが選択されると（ステップＳ１２；ＹＥＳ）、地紋画像生成部１１１が選択された背景画像やテキストを用いて地紋画像を仮生成し、表示制御部１１４が仮生成された地紋画像がコピーされたときの印刷物の状態をプレビュー画面２０１に擬似的に表示させる（ステップＳ１３）。
【００３１】
プルダウンリスト２０２には、地紋画像の色として設定可能な色がリスト表示される。図４は、ユーザによってプルダウンリスト２０２の下三角マークが選択されたときに、色がリスト表示されたときの地紋画像設定画面２００を示した図である。図４において、プルダウンリスト２０２に表示される色の一例として、黒、シアン、マゼンタ、レッド、グリーン、ブルーとしているが、これら以外の色が含まれていてもよい。ユーザがプルダウンリスト２０２から色を選択すると、地紋画像生成部１１１は仮生成した地紋画像の色を選択された色に変更する。
【００３２】
ここで、始め地紋画像生成部１１１は、地紋画像全体をデフォルトである黒で仮生成する。その後、例えば、ユーザがプルダウンリスト２０２から「シアン」を選択したとき、地紋画像生成部１１１は黒の地紋画像全体をシアンに変更する。そして、表示制御部１１４は色が変更された地紋画像がコピーされたときの印刷物の状態をプレビュー画面２０１に更新して表示する。
【００３３】
ユーザがプルダウンリスト２０２から「ユーザ設定」を選択した場合、ユーザは複数の色を用いて地紋画像の色を設定することが可能となる。その後、ユーザが背景色設定ボタン２０３を選択すると（ステップＳ１４；ＹＥＳ）、制御部１１は配色設定処理へ処理を移行する（ステップＳ１５）。
【００３４】
配色設定処理においては、まず表示制御部１１４は、背景色設定画面を表示部１４に表示させる（図１２のステップＳ２１）。図５は、背景色設定画面３００の一例を示した図である。ユーザによってプルダウンリスト３０１の下三角マークが選択されると、表示制御部１１４は、デザイン画像記憶部１２３に記憶されているデザイン画像の名称を読み出して、プルダウンリスト３０１にリスト表示する。そして、ユーザがプルダウンリスト３０１に表示されたデザイン画像の名称を選択すると（ステップＳ２２；ＹＥＳ）、表示制御部１１４は選択され名称に対応するデザイン画像を読み出して、プレビュー画面３０２に表示する（ステップＳ２３）。図５では、名称「太陽」のデザイン画像が表示されている。
【００３５】
カラーリスト３０３には、地紋画像の配色に使用可能な色が表示される。図５において、カラーリスト３０３に表示される色の一例として、黒、シアン、マゼンタ、レッド、グリーン、ブルーとしているが、これら以外の色が含まれていてもよい。ここで、ユーザがポインティングデバイスを用いてカラーリスト３０３に表示される色から「レッド」を選択したとする（図５では「レッド」が選択状態になっている）。この状態のまま、ユーザがポインティングデバイスを用いてプレビュー画面３０２に表示されている太陽のパーツ画像３１０を選択すると（ステップＳ２４；ＹＥＳ）、配色設定部１１２はパーツ画像３１０全体の色をレッドに設定し、表示制御部１１４はパーツ画像３１０をレッドで塗りつぶして表示させる（ステップＳ２５）。図６は、パーツ画像３１０がレッドで塗りつぶされたときの背景色設定画面３００を示している。
【００３６】
引き続き、カラーリスト３０３の「レッド」が選択状態のまま、ユーザがパーツ画像３１０の周囲に配置されている三角形のパーツ画像３１１をそれぞれ選択し、続いてカラーリスト３０３の「ブルー」を選択した後、背景３１２を選択したとする。図７は、このときの背景色設定画面３００を示している。つまり、太陽はレッド、背景はブルーで配色されたことになる。この段階において、地紋画像は仮生成された状態、デザイン画像は色設定が行われた状態であり、地紋画像及びデザイン画像は別個の画像である。
【００３７】
このようにユーザによってデザイン画像の色設定が行われた後、保存ボタン３０６が選択されると（ステップＳ２６；ＹＥＳ）、制御部１１は色設定されたデザイン画像に対して新規の名称を付加してデザイン画像記憶部１２３に記憶する（ステップＳ２７）。デザイン画像記憶部１２３が色設定されたデザイン画像を記憶することによって、表示制御部１１４は予め記憶されているデザイン画像に加えて、新しく記憶されたデザイン画像の名称もプルダウンリスト３０１に表示する。従って、後日ユーザが同じ配色のデザイン画像を使用したいときはプルダウンリスト３０１からそのデザイン画像の名称を選択するだけで、所望のデザイン画像を即座に読み出すことができる。
【００３８】
また、ユーザによってクリアボタン３０５が選択されると（ステップＳ２８；ＹＥＳ）、配色設定部１１２は、デザイン画像の各パーツ画像に設定された色を全てリセットして、デフォルトの状態（色が設定されていない状態）にする（ステップＳ２９）。つまり、図７の状態でクリアボタン３０５が選択されると、プレビュー画面３０２は図５の状態となる。
【００３９】
デザイン画像の配色が完了し、ユーザがＯＫボタン３０４を選択すると（ステップＳ３０；ＹＥＳ）、制御部１１は処理を図１１のステップＳ１６に移行する。そして地紋画像生成部１１１は、仮生成された地紋画像に対して色設定されたデザイン画像を重ね合わせてカラーの地紋画像を生成する（ステップＳ１６）。
【００４０】
ステップＳ１６における処理について、図８を用いて詳しく説明する。まず地紋画像生成部１１１は、仮生成された地紋画像４００及び色設定されたデザイン画像５００に対して、それぞれの画像を構成している所定画素数の画素（以下「対象画素」という）を、例えば各画像の左上に設定する。図８において、４１は地紋画像４００上に設定された対象画素、５１はデザイン画像５００上に設定された対象画素である。
【００４１】
地紋画像生成部１１１は、地紋画像４００の対象画素４１の色をデザイン画像５００の対象画素５１の色に設定する。つまり、対象画素４１は対象画素５１と同じ色に設定されることになる。対象画素４１の色が設定されたら、対象画素４１及び５１の位置を１対象画素分ずらし、ずらした位置での対象画素５１の色を対象画素４１の色に設定する。このような色設定を画像全体に渡って行う。尚、この方法はあくまで一例であり、仮生成された地紋画像と配色設定されたデザイン画像を重ね合わせて、地紋画像の色をデザイン画像の対応する色に設定することによって地紋画像の色設定を行う方法であれば、上記以外の方法であってもよい。
【００４２】
このように地紋画像生成部１１１によって地紋画像の配色が行われた後、表示制御部１１４は再び地紋画像設定画面２００を表示する（ステップＳ１７）。図９は、このときの地紋画像設定画面２００を示している。表示制御部１１４は、色設定された地紋画像をカラーコピーしたときの状態をプレビュー画面２０１に表示させる。つまり、潜像画像（テキスト）は白抜きで表示され、背景画像は色設定された色となる。
【００４３】
地紋画像設定画面２００においてユーザがＯＫボタン２１０を選択したとき（ステップＳ１８；ＹＥＳ）、印刷データ生成部１１３は、ユーザによって作成された文書データと仮生成された地紋画像（色設定された地紋画像）を重畳して合成することにより、印刷データを生成する。そして処理を終了する。処理終了後、制御部１１は、作成された印刷データをネットワークＩ／Ｆ部１５を介してプリンタ９１へ転送する。そしてプリンタ９１によって印刷データに基づいた印刷が行われる。
【００４４】
図１０は、色設定された地紋画像をカラー印刷したときの印刷物６００を示している。図１０において、矢印Ａ１及びＢ１で示した箇所は、地紋画像における背景画像にあたり、矢印Ａ２及びＢ２で示した箇所は、地紋画像の潜像画像にあたる。更に、矢印Ａ１及びＡ２で示した箇所は、色設定でレッドに設定された領域にあたり、矢印Ｂ１及びＢ２で示した箇所は、色設定でブルーに設定された領域にあたる。
【００４５】
上記の例のように、背景画像は大きなドット、潜像画像は小さなドットで構成される場合、各矢印で示した位置のドットの状態を説明すると、矢印Ａ１で示した箇所（背景画像）はレッドの大きなドット、矢印Ａ２で示した箇所（潜像画像）はレッドの小さなドットで構成される。また、矢印Ｂ１で示した箇所（背景画像）はブルーの大きなドット、矢印Ｂ２で示した箇所（潜像画像）はブルーの小さなドットで構成される。
【００４６】
この印刷物６００をカラーコピー機でコピーすると、図９のプレビュー画面２０１に示すように、潜像画像は白抜き文字、背景画像は各ドットの色が再現されて印刷される。尚、印刷物６００をモノクロコピー機でコピーすると、潜像画像は白抜き文字で再現されるが、背景画像の各ドットの色は再現されず、黒又はグレー等で再現されることになる。
【００４７】
以上、説明したように、ユーザ所望のデザイン画像や色を用いて地紋画像を作成することができるため、用途やユーザの好みに合わせた地紋画像を作成することができ、利便性を向上させることができる。
【００４８】
尚、本発明は上記実施の形態の構成に限られず種々の変形が可能である。本実施の形態では、潜像画像をテキストで設定することとしたが、ロゴマークや任意の画像を潜像画像としてもよい。
【符号の説明】
【００４９】
１      画像処理装置
１１    制御部（画像読出手段）
１１１  地紋画像生成部（地紋画像生成手段、カラー地紋画像生成手段）
１１２  配色設定部（色設定手段）
１１３  印刷データ生成部
１１４  表示制御部（表示制御手段）
１２    記憶部
１２１  地紋画像生成プログラム
１２２  配色設定プログラム
１２３  デザイン画像記憶部（デザイン画像記憶手段）
１３    入力操作部（画像受付手段、パーツ画像受付手段、色受付手段、指示受付手段）
１４    表示部
１５    ネットワークＩ／Ｆ部
【図１】
2010178008.tif 000003
【図２】
2010178008.tif 000004
【図３】
2010178008.tif 000005
【図４】
2010178008.tif 000006
【図５】
2010178008.tif 000007
【図６】
2010178008.tif 000008
【図７】
2010178008.tif 000009
【図８】
2010178008.tif 000010
【図９】
2010178008.tif 000011
【図１０】
2010178008.tif 000012
【図１１】
2010178008.tif 000013
【図１２】
2010178008.tif 000014
【図１３】
2010178008.tif 000015
【図１４】
2010178008.tif 000016